(57)【要約】 【課題】設置面積を縮小し、その維持費、据付費用を削減することができるガス絶縁開閉装置を提供する。【解決手段】開閉器の送電線側に接続母線５とブッシング部６を有するガス絶縁開閉装置において、前記接続母線５の軸線と直交し上方に立ち上がるように分岐して設けた各相のブッシング接続部１４，１５，１６と、上部が送電線側に向かって傾斜するように前記ブッシング接続部１４に設けた中相のブッシング２６と、上部が反送電線側でかつ中相から遠ざかる方向に傾斜するように前記ブッシング接続部１５，１６に設けた端相のブッシング２５，２７とを備えたことを特徴とする。【選択図】  図１
2006197708.tif 000002
【特許請求の範囲】
【請求項１】
開閉器の送電線側に接続母線とブッシング部を有するガス絶縁開閉装置において、前記接続母線の軸線と直交し上方に立ち上がるように分岐して設けた各相のブッシング接続部と、上部が送電線側に向かって傾斜するように前記ブッシング接続部に設けた中相のブッシングと、上部が反送電線側でかつ中相から遠ざかる方向に傾斜するように前記ブッシング接続部に設けた端相のブッシングとを備えたことを特徴とするガス絶縁開閉装置。
【請求項２】
開閉器の送電線側に接続母線とブッシング部を有するガス絶縁開閉装置において、前記接続母線の軸線と直交し上方に立ち上がるように分岐して設けた各相のブッシング接続部と、上部が反送電線側に向かって傾斜するように前記ブッシング接続部に設けた中相のブッシングと、上部が送電線側でかつ中相から遠ざかる方向に傾斜するように前記ブッシング接続部に設けた端相のブッシングとを備えたことを特徴とするガス絶縁開閉装置。
【請求項３】
２回線以上隣接して設置されるブッシング部を有するガス絶縁開閉装置において、各回線とも開閉器の送電線側に設けられた接続母線の軸線と直交し上方に立ち上がるように分岐して設けた各相のブッシング接続部と、上部が送電線側に向かって傾斜するように前記一方の接続母線側のブッシング接続部に設けた中相のブッシングと、上部が反送電線側でかつ中相から遠ざかる方向に傾斜するように前記一方の接続母線側のブッシング接続部に設けた端相のブッシングと、上部が反送電線側に向かって傾斜するように前記一方の接続母線に相隣する他方の接続母線側のブッシング接続部に設けた中相のブッシングと、上部が送電線側でかつ中相から遠ざかる方向に傾斜するように前記一方の接続母線に相隣する他方の接続母線側のブッシング接続部に設けた端相のブッシングとを備えたことを特徴とするガス絶縁開閉装置。
【請求項４】
前記ブッシング接続部は、接続母線から分岐した分岐タンクと、この分岐タンクに接続した分岐部とで構成したことを特徴とする請求項１乃至３のいずれかに記載のガス絶縁開閉装置。
【請求項５】
前記各相のブッシング接続部に分岐部を設け、それぞれに避雷器を接続したことを特徴とする請求項１乃至３に記載のガス絶縁開閉装置。
【請求項６】
前記ブッシング接続部に分岐部を設け、計器用変圧器を接続したことを特徴とする請求項５に記載のガス絶縁開閉装置。
【請求項７】
前記中相のブッシング上部課電部と２つの端相のブッシング上部課電部とを真上から見て略正三角形の各頂点に配置したことを特徴とする請求項１乃至３に記載のガス絶縁開閉装置。
【発明の詳細な説明】
【技術分野】
【０００１】
本発明は、ガス絶縁開閉装置に係り、特に発電所、変電所等の電気所に設置されるガス絶縁開閉装置に関する。
【背景技術】
【０００２】
発電所、変電所等の電気所に設置されるガス絶縁開閉装置は、絶縁気体が封入された高圧容器内に母線、遮断器、断路器、接地開閉器などの開閉器を収容し、この高圧容器を接地して構成している。気中送電線に接続されるガス絶縁開閉装置においては、ブッシング部を設けることにより気中送電線側に接続される。
【０００３】
この種のガス絶縁開閉装置におけるブッシングは、送電線回線の先端側で、その相間の気中絶縁距離を確保するために、各ブッシングを離間配置する構成を採用している（例えば、特許文献１参照。）。
【０００４】
【特許文献１】特開平７−１２３５４４号公報
【発明の開示】
【発明が解決しようとする課題】
【０００５】
この種のガス絶縁開閉装置において、気中送電線側への接続箇所が複数になる場合には、隣接するブッシング間の気中絶縁距離も確保する必要があるため、複数のブッシングを設置するための設置面積、およびこれに伴うブッシングと母線との間の接続母線の設置面積が大きくならざるを得ない。
【０００６】
このような複数のブッシングを設置するための設置面積、およびブッシングと母線との間の接続母線の設置面積の増加は、基礎となるコンクリート面積が大きくなり、設備維持費用が増加するとともに設置費用も多大になる。
【０００７】
一方、ユーザ側としては、その設置面積を縮小し、その維持費、据付費用を削減することが要求されているが、その解決策が見当たらないのが現状である。
【０００８】
本発明の目的は、上記の事情に鑑みてなされたもので、設置面積を縮小し、その維持費、据付費用を削減することができるガス絶縁開閉装置を提供することにある。
【課題を解決するための手段】
【０００９】
本発明は、上記の目的を達成するために、第１の発明は、開閉器の送電線側に接続母線とブッシング部を有するガス絶縁開閉装置において、前記接続母線の軸線と直交し上方に立ち上がるように分岐して設けた各相のブッシング接続部と、上部が送電線側に向かって傾斜するように前記ブッシング接続部に設けた中相のブッシングと、上部が反送電線側でかつ中相から遠ざかる方向に傾斜するように前記ブッシング接続部に設けた端相のブッシングとを備えたことを特徴とするガス絶縁開閉装置にある。
【００１０】
また、第２の発明は、開閉器の送電線側に接続母線とブッシング部を有するガス絶縁開閉装置において、前記接続母線の軸線と直交し上方に立ち上がるように分岐して設けた各相のブッシング接続部と、上部が反送電線側に向かって傾斜するように前記ブッシング接続部に設けた中相のブッシングと、上部が送電線側でかつ中相から遠ざかる方向に傾斜するように前記ブッシング接続部に設けた端相のブッシングとを備えたことを特徴とするガス絶縁開閉装置にある。
【００１１】
更に、第３の発明は、２回線以上隣接して設置されるブッシング部を有するガス絶縁開閉装置において、各回線とも開閉器の送電線側に設けられた接続母線の軸線と直交し上方に立ち上がるように分岐して設けた各相のブッシング接続部と、上部が送電線側に向かって傾斜するように前記一方の接続母線側のブッシング接続部に設けた中相のブッシングと、上部が反送電線側でかつ中相から遠ざかる方向に傾斜するように前記一方の接続母線側のブッシング接続部に設けた端相のブッシングと、上部が反送電線側に向かって傾斜するように前記一方の接続母線に相隣する他方の接続母線側のブッシング接続部に設けた中相のブッシングと、上部が送電線側でかつ中相から遠ざかる方向に傾斜するように前記一方の接続母線に相隣する他方の接続母線側のブッシング接続部に設けた端相のブッシングとを備えたことを特徴とするガス絶縁開閉装置にある。
【００１２】
また、第４の発明は、第１乃至第３の発明のいずれかのガス絶縁開閉装置において、前記ブッシング接続部は、接続母線から分岐した分岐タンクと、この分岐タンクに接続した分岐部とで構成したことを特徴とするガス絶縁開閉装置にある。
【００１３】
更に、第５の発明は、第１乃至第３の発明のいずれかのガス絶縁開閉装置において、前記各相のブッシング接続部に分岐部を設け、それぞれに避雷器を接続したことを特徴とするガス絶縁開閉装置にある。
【００１４】
更に、第６の発明は、第５の発明のガス絶縁開閉装置において、前記ブッシング接続部に分岐部を設け、計器用変圧器を接続したことを特徴とするガス絶縁開閉装置にある。
【００１５】
また、第７の発明は、第１乃至第３の発明のいずれかのガス絶縁開閉装置において、前記中相のブッシング上部課電部と２つの端相のブッシング上部課電部とを真上から見て正三角形の各頂点に配置したことを特徴とするガス絶縁開閉装置にある。
【発明の効果】
【００１６】
本発明によれば、ブッシングの相間絶縁距離を確保した配置構成により、このブッシング部の設置に必要なスペース及び接続母線長を短縮することができるので、その据付面積及びその基礎となるコンクリート面積が縮小し、その設備費、維持費等を著しく低減することができる。
【発明を実施するための最良の形態】
【００１７】
以下、本発明のガス絶縁開閉装置の実施形態を図面を用いて説明する。  
図１は、本発明のガス絶縁開閉装置の一実施の形態を示す平面図、図２は図１の正面図、図３は図２のIII−III矢視から見た拡大断面図である。これらの図おいて、据付基礎１には母線２が設置されている。母線２はそのタンク内に母線導体を配設し、その内部に絶縁ガスを封入したガス絶縁主母線を構成している。
【００１８】
母線２には送電線回線３が図１に示すように主母線２と直交して分岐されている。この送電線回線３は、母線２の三相の母線導体に接続するガス絶縁分岐母線４と、これらの分岐母線４に接続する三相一括形のガス絶縁接続母線５と、この接続母線５に接続する送電線側ブッシング部６とを備え、据付基礎１上に配置されている。
【００１９】
ガス絶縁分岐母線４には、母線２上にそれぞれ三相の母線導体に接続するように設置した断路器７と、これらの断路器７にそれぞれ接続した遮断器８と、これらの遮断器８の両側にそれぞれ設けた変流器９と、送電線側の変流器９に接続した断路器１０とが送電線側に向かって順次配置されている。
【００２０】
送電線側ブッシング部６における接続母線５の端部には、図３に示すように垂直方向に設けた中相のブッシング接続部１１と、側方から垂直方向に立ち上がる両端相のブッシング接続部１２，１３が設けられている。中相のブッシング接続部１１には、分岐部１４が、また両端相のブッシング接続部１２，１３には、分岐部１５，１６がそれぞれ設けられている。
【００２１】
中相の分岐部１４及び端相の分岐部１５，１６には、図１に示すようにその送電線側に避雷器１７が、またその接続母線５側に計器用変圧器１８が対向し、図２に示すように同じ高さに設置されている。この例では計器用変圧器１８を３相ともに設置しているが、いずれかの１相だけに設置する場合がある。
【００２２】
中相の分岐部１４及び端相の分岐部１５，１６には、図３に示すようにその上部にブッシング接続用の接続口１９，２０，２１をそれぞれ備えている。これらの接続口１９，２０，２１には、ブッシング支持部２２，２３，２４を介してブッシング２５，２６，２７がそれぞれ設置されている。
【００２３】
中相のブッシング２６は、その上部が接続母線５の中心線方向でかつ送電線側に位置するように傾斜している。また、端相のブッシング２５，２７は、その上部が接続母線５側（反送電線側）でかつ中相から遠ざかる方向に位置するように傾斜している。これらのブッシング２５，２６，２７の配置により、これらのブッシング２５，２６，２７の先端の課電部は、図１に示すように真上から見て、三角形の頂点に配置される。
【００２４】
各相の避雷器１７は図１に示すようにブッシング接続部の送電線側に並設されている。これら各相の避雷器１７における送電線側には、避雷器１７の付属品箱２８が設置されている。従来はブッシングの気中絶縁距離により各相の避雷器１７の設置位置も離れていたが、本発明の構成を使用することにより、各相の避雷器１７間の設置位置が近くなるので、その点検作業が容易になる。
【００２５】
また、ブッシング部６の近傍の１箇所には、ブッシング２５〜２７，ブッシング接続部１１〜１３、避雷器１７及び計器用変圧器１８に接続され、その内部のガス圧を監視するためのガス監視装置２９が設置されている。従来はブッシングの気中絶縁距離により各相のブッシング、避雷器、計器用変圧器の設置位置が離れていたため、ガス監視装置２９も各相毎に設置していたが、本発明の構成を使用することにより、各相の機器間をガス配管で容易に接続することが可能となり、ガス監視装置２９も３相で１箇所に集約できる。これにより、ブッシング部の各機器のガス圧点検作業が容易になる。
【００２６】
次に、上述した本発明のガス絶縁開閉装置の一実施の形態の動作を図１乃至図３を用いて説明する。  
送電線側ブッシング部６における接続母線５の端部には、図３に示すように垂直方向に設けた中相のブッシング接続部１１、側方から垂直方向に立ち上がる両端相のブッシング接続部１２、１３が設けられている。そして、これらのブッシング接続部１１，１２，１３にはブッシング支持部２２，２３，２４を介してそれぞれブッシング２５，２６，２７が設置され、中相のブッシング２６は、その上部が接続母線５の中心線方向でかつ送電線側に位置するように傾斜している。また、端相のブッシング２５，２７は、その上部が接続母線５側（反送電線側）でかつ中相から遠ざかる方向に位置するように傾斜している。
【００２７】
これらのブッシング２５，２６，２７の配置により、これらのブッシング２５，２６，２７の先端の課電部は、図１に示すように真上から見て、三角形の頂点に配置されるので、各ブッシング頭部の相間気中絶縁距離を最大限に確保することができる。
【００２８】
一方、ブッシングの基部側は、接続母線５の端部に集中的に配置したので、据付面積及び基礎となるコンクリート付設面積が縮小され、その設備費及び維持費を削減することができる。
【００２９】
また、接続母線５の端部に避雷器１７及び計器用変圧器１８を集中的に配置することができるので、その監視およびメンテナンス性が向上する。
【００３０】
本発明の実施の形態によれば、上述したブッシング２５，２６，２７の配置構成により、相間気中絶縁距離を確保することができるとともに、据付面積が縮小され、これに伴い、据付工事のための作業及びコストを削減することができる。
【００３１】
図４及び図５は、本発明のガス絶縁開閉装置における送電線側ブッシングの他の実施の形態を示すもので、図４はその平面図、図４はその正面図で、これらの図において、図１乃至図３と同符号のものは同一または相当する部分である。この実施の形態は、中相のブッシング２６を、その上部が接続母線５の中心線方向でかつ接続母線５側（反送電線側）に位置するように傾斜して設置し、また、端相のブッシング２５，２７を、その上部が送電線側でかつ中相から遠ざかる方向に位置するように傾斜して設置して構成したものである。これらのブッシング２５，２６，２７の先端の課電部は、上述した実施の形態と同様に図４に示すように真上から見て、三角形の頂点に配置される。
【００３２】
この実施の形態によれば、ブッシング２５，２６，２７の先端の課電部には、これに引き込まれる送電線が接続されるが、前述したように端相のブッシング２５，２７は、中相のブッシング２３に対して対向するように傾斜配置した結果、これらのブッシング２５，２６，２７の相間気中絶縁距離を極力大きく確保することができる。
【００３３】
そして、上述したブッシング２５，２６，２７の配置構成により、これに接続する接続母線の長さが短縮される。その結果、前述した実施の形態と同様に、据付面積が縮小され、これに伴い、据付工事のための作業及びコストを削減することができる。
【００３４】
図６は、本発明のガス絶縁開閉装置の他の実施の形態を示す平面図で、この図において、図１乃至図５と同符号のものが同一または相当する部分である。この実施の形態は、母線２に、母線連絡回線３０、変圧器３１への変圧器回線３２及び２つの送電線回線３，３を備える送電回路において、２つの送電線回線３，３における一方の送電線側ブッシング部６を、図１及び図２に示すようなその上部が接続母線５の中心線方向でかつ送電線側に位置するように傾斜させた中相のブッシング２６と、その上部が接続母線５側（反送電線側）でかつ中相から遠ざかる方向に位置するように傾斜させた端相のブッシング２５，２７とで配置構成し、また、もう一方側の送電線側ブッシング部６を、図４及び図５に示すような中相のブッシング２６を、その上部が接続母線５の中心線方向でかつ接続母線５側（反送電線側）に位置するように傾斜して設置し、また、端相のブッシング２５，２７を、その上部が送電線側でかつ中相から遠ざかる方向に位置するように傾斜して設置して構成したものである。
【００３５】
この実施の形態によれば、母線２から分岐した送電線回線先端側に、それぞれその相間気中絶縁距離を極力大きく確保した送電線側ブッシング部６を設置することができるとともに、並設した送電線回線先端側における送電線側ブッシング部６、６間の気中絶縁距離も確保することができるので、据付面積を縮小することができ、据付工事のための作業及びコストを削減することができる。
【００３６】
また、接続母線５の端部に避雷器１７及び計器用変流器１８を集中的に配置することができるので、その監視およびメンテナンス性が向上する。
【００３７】
なお、上述の実施の形態においては、中相のブッシング接続部１１、両端相のブッシング接続部１２，１３に、分岐部１４，１５，１６をそれぞれ設けたが、中相のブッシング接続部１１、両端相のブッシング接続部１２，１３にそれぞれ一体的に構成することも可能である。また、上述の実施の形態においては、母線２を２本設けた例を示したが、１本の場合の例についても適用可能である。
【図面の簡単な説明】
【００３８】
【図１】本発明のガス絶縁開閉装置の一実施の形態を示す平面図である。
【図２】図１に示す本発明のガス絶縁開閉装置の一実施の形態の正面図である。
【図３】図２に示す本発明のガス絶縁開閉装置をIII−III矢視から見た拡大断面図である。
【図４】本発明のガス絶縁開閉装置における送電線側ブッシングの他の実施の形態を示す平面図である。
【図５】図４に示す本発明のガス絶縁開閉装置における送電線側ブッシングの他の実施の形態の正面図である。
【図６】本発明のガス絶縁開閉装置の他の実施の形態の平面図である。
【符号の説明】
【００３９】
１        基礎コンクリート
２        主母線
３        送電線回線
４        ガス絶縁分岐母線
５        接続母線
６        ブッシング部
１１      中相のブッシング接続部
１２      端相のブッシング接続部
１３      端相のブッシング接続部
１４      中相の分岐部
１５      端相の分岐部
１６      端相の分岐部
２６      中相のブッシング
２５      端相のブッシング
２７      端相のブッシング
【図１】
2006197708.tif 000003
【図２】
2006197708.tif 000004
【図３】
2006197708.tif 000005
【図４】
2006197708.tif 000006
【図５】
2006197708.tif 000007
【図６】
2006197708.tif 000008